(57)【要約】      （修正有）【課題】構成部材全体がシンプルで耐用性が高く、軽量化設計により体積を大幅に縮小することができるため使用者の携帯に便利で、マッサージ器の実用性と携帯性を大幅に向上させられる足裏のツボを刺激できる足裏マッサージ器を提供する。【解決手段】足裏マッサージ器は、頂点面に開口構造２１を備える外ハウジング２０、該外ハウジング２０内部に設置し開口構造２１に通じる収容設置空間を備え、該収容設置空間中には相互に平行な複数のマッサージ部品３１を設置し、該マッサージ部品３１表面には、予定の間隔を開けて排列する複数のマッサージヘッド３１１を設置し、マッサージ部品３１の両端は収容設置空間の両側にそれぞれ可動状態で接続し、各マッサージ部品３１表面の相同位置には伝動ブロック３２を設置し、各伝動ブロック３２を、ベルト状の伝動部品４０により接続し、伝動部品４０は、収容設置空間中に設置する駆動装置と相互に連接する。【選択図】図２
0003162836.tif 000002
【実用新案登録請求の範囲】
【請求項１】
頂点面に開口構造を備える外ハウジング、前記外ハウジング内部に設置し前記開口構造に通じる収容設置空間を設置し、
前記収容設置空間内部には、複数のマッサージ部品により構成するマッサージセットを設置し、前記各マッサージ部品の両側は、前記収容設置空間の両端壁面にそれぞれ固定し、前記各マッサージ部品表面の相同の予定位置には、伝動ブロックを設置し、前記各伝動ブロックを、ベルト状の伝動部品により接続し、
前記マッサージ部品は、前記開口構造位置に平行に排列し、しかも前記各マッサージ部品上には、特定の間隔を開けて排列する複数のマッサージヘッドを設置することを特徴とする足裏マッサージ器。
【請求項２】
前記伝動ブロックは、前記マッサージ部品表面の予定位置に接続する伝動ギアであることを特徴とする請求項１に記載の足裏マッサージ器。
【請求項３】
前記伝動部品は、前記伝動ギアの間に接続する伝動チェーンを設置することを特徴とする請求項２に記載の足裏マッサージ器。
【請求項４】
前記伝動ブロックは、前記マッサージ部品表面に接続する摩擦ホイールを設置することを特徴とする請求項１に記載の足裏マッサージ器。
【請求項５】
前記伝動部品は、前記摩擦ホイールの間に接続する伝動ベルトを設置することを特徴とする請求項４に記載の足裏マッサージ器。
【請求項６】
前記外ハウジングは、上ハウジング、及び前記上ハウジングと対応する下ハウジングが相互に組み合わさり構成されることを特徴とする請求項１に記載の足裏マッサージ器。
【請求項７】
前記駆動装置は、前記伝動部品と接続する駆動モーター、及び前記駆動モーターと電気的に連接する給電ユニットを設置することを特徴とする請求項１に記載の足裏マッサージ器。
【請求項８】
前記給電ユニットは、充電式電池、使い捨て電池、電源コードの内の１種であることを特徴とする請求項７に記載の足裏マッサージ器。
【請求項９】
前記マッサージヘッドは、前記マッサージ部品外側の四周面に、大きさが相同で、かつ平行に排列する外凸ブロックとしてそれぞれ設置することを特徴とする請求項１に記載の足裏マッサージ器。
【請求項１０】
前記外ハウジング表面にはさらに、前記駆動装置と電気的に連接する制御ユニットを設置し、これにより前記マッサージセットの回転速度を調整することを特徴とする請求項１に記載の足裏マッサージ器。
【考案の詳細な説明】
【技術分野】
【０００１】
本考案は足裏のツボを刺激可能なマッサージ器に関し、特に軽量化された設計で、充電式給電ユニットを使用できる足裏マッサージ器に関する。
【背景技術】
【０００２】
工商業の絶え間ない発展により、現代人は長時間仕事に忙殺されるようになっており、運動をする時間も空間もない有様である。
そのため、しばしば身体的疲労とだるさの症状が現れ、或いは精神的ストレスを感じるようになっている。
これに対して、現在最もよく見られるストレスと疲労を解消する方法は、マッサージ機材によりマッサージを行うことである。
足には、多くの末梢神経と動脈の毛細血管が集中しているため、足に大量に分布するツボを押し抹消神経を刺激すると同時に血行を促進し、これにより身体的疲労を解消し、全身器官の機能を活性化できることは、古くから知られている。
よって、足部の指圧、或いは裸足で健康歩道上を歩くなどの方法も広く行われている。
【０００３】
もう一つの方式は、足裏マッサージ器を用いてマッサージを行うものである。
従来の足裏マッサージ器は、駆動ユニット１０、多数のマッサージヘッド１１を設置する。
駆動ユニット１０は、転回する駆動棒、駆動棒両端にそれぞれ連結する２個のメインローラー１２、メインローラー１２と連動する多数の補助ローラー１３を備える。
メインローラー１２と各補助ローラー１３の分布は、使用者の両足裏の排列に対応し、多数のマッサージヘッド１１は、メインローラー１２と補助ローラー１３上に連結する。
従来のマッサージ器では、両側のホイールユニットをそれぞれ駆動し、こうしてボールにより揉む、及び足裏とその両側を圧迫するマッサージ効果を達成する。
【０００４】
しかし、この種の足裏マッサージ器の欠点は、メインローラー１２と補助ローラー１３の構成部材が非常に多く、全体の体積を拡大させてしまうため、使用者にとっては携帯の便が悪く、しかも構成部材が多いことで製造コストを高騰させてしまっているということである。
さらに、従来のマッサージ器は消費電力が比較的大きいため、充電式の電池ユニットを合わせて使用することができず、コードを応用して使用するしかなかったため、それが実用における制限となっていた。
すなわち、足裏のマッサージを便利に実施でき、忙しい現代人でも簡単に使用及び携帯可能とするため、足裏マッサージ器は、足裏をマッサージでき、構成部材がシンプルで、携帯が容易などの機能を提供する必要がある。
本考案は、従来の足裏マッサージ器の上記した欠点に鑑みてなされたものである。
【考案の概要】
【考案が解決しようとする課題】
【０００５】
本考案が解決しようとする第一の課題は、構成部材全体がシンプルで耐用性が高く、軽量化設計により体積を大幅に縮小することができるため使用者の携帯に便利で、こうしてマッサージ器の実用性と携帯性を大幅に向上させられる足裏のツボを刺激できる足裏マッサージ器を提供することである。
本考案が解決しようとする第二の課題は、充電式給電ユニットを応用してマッサージ器本体を使用できるため、マッサージ器の応用範囲と利便性を高めることができる足裏マッサージ器を提供することである。
【課題を解決するための手段】
【０００６】
上記課題を解決するため、本考案は下記の足裏マッサージ器を提供する。
足裏マッサージ器は、構成部材全体を覆って包む外ハウジング、使用者にマッサージ機能を提供するマッサージセット、動力を伝送する伝動部品、動力を提供する駆動装置を備え、
該外ハウジング頂点面には、開口構造を設置し、該外ハウジングは上ハウジングと、対応構造である下ハウジングと相互に組み合わさり構成し、該上ハウジングと該下ハウジングの組み立て後は、該外ハウジング内部に、収容設置空間を形成し、しかも該収容設置空間と該開口構造とは相互に通じ、
該マッサージセットは、該外ハウジングの開口構造中に設置し、該開口構造位置に、平行に排列する複数のマッサージ部品により構成し、該各マッサージ部品の両側は、該開口構造の両端壁面に、それぞれ可動状態で軸接続し、表面上には、特定の間隔を開けて排列する複数のマッサージヘッドをそれぞれ設置し、
一実施例中では、該各マッサージヘッドは、該マッサージ部品外側の四周面にそれぞれ設置する大きさが相同で、平行に排列する外凸ブロックで、
該マッサージセットは、該各マッサージ部品表面の相同の予定位置に、伝動ブロックをそれぞれ設置し、該各伝動ブロックを、ベルト状の伝動部品により接続し、
一実施例中では、該伝動ブロックは、該マッサージ部品表面の予定位置に接続し、該マッサージ部品と連接して固定する伝動ギアで、該伝動部品は、該伝動ギアに対応し、該伝動ギアを相互に連結する伝動チェーンで、
一実施例中では、該伝動ブロックは、該マッサージ部品表面に接続する摩擦ホイールで、該伝動部品は、伝動ベルトで、該摩擦ホイール表面との摩擦力により、マッサージセットを駆動し回転させ、
該駆動装置は、該外ハウジングの収容設置空間内部に設置し、該伝動部品と接続する駆動モーター、及び該駆動モーターと電気的に連接する給電ユニットを備え、
一実施例中では、該駆動モーターは連接端に、該伝動部品と対応して接続する対応連接部品を設置し、該給電ユニットは、充電式電池、使い捨て電池、或いは電源線構造の内の１種で、該対応連接部品は、該伝動ベルトに対応する摩擦ホイール、或いは該伝動チェーンに対応する伝動ギアで、
該外ハウジング表面にはさらに、該駆動装置と電気的に連接する制御ユニットを設置し、これにより該マッサージセットの回転速度を調整する。
【考案の効果】
【０００７】
本考案の足裏マッサージ器は、マッサージセット中のマッサージ部品を平行に排列し、伝動部品によりすべてのマッサージ部品を同時に連動することで、マッサージ器の構成部材をシンプルにし、耐用性を高めることができ、また全体の体積を大幅に縮小し、マッサージ器の実用性と携帯性を大幅に向上させることができる。また、構造全体を軽量化することで、内部の構成部材の消費電力を減らし、これにより充電式給電ユニットを使用可能となり、こうしてマッサージ器の応用範囲と利便性を拡大することができる。
【図面の簡単な説明】
【０００８】
【図１】従来の足裏マッサージ器の分解表示図である。
【図２】本考案第一実施例の立体図である。
【図３】本考案において、外ハウジングを分離した様子を示す表示図である。
【図４】図３中の伝動部品の分解図である。
【図５】本考案第二実施例の立体図である。
【図６】本考案第一実施例の使用状態を示す表示図である。
【考案を実施するための形態】
【０００９】
以下に図面を参照しながら本考案を実施するための最良の形態について詳細に説明する。
【００１０】
図２、３に示すように、本考案足裏マッサージ器は、構成部材全体を覆って包む外ハウジング２０、使用者にマッサージ機能を提供するマッサージセット３０、動力を伝送する伝動部品４０、動力を提供する駆動装置５０を備える。
【００１１】
外ハウジング２０頂点面には、開口構造２１を設置し、内部には、開口構造２１に通じる収容設置空間２２を設置する。
図２に示す本考案第一実施例では、外ハウジング２０は、上ハウジング２３と、その対応構造である下ハウジング２４が相互に組み合わさり構成する。
上ハウジング２３は、頂点面中央に、開口構造２１を設置し、下ハウジング２４と共同で、収容設置空間２２を形成する。
【００１２】
マッサージセット３０は、外ハウジング２０の開口構造２１内部に設置し、開口構造２１位置に平行に排列する複数のマッサージ部品３１を設置する。
各マッサージ部品３１の両側は、開口構造２１の両端壁面に、それぞれ可動状態で軸接続し、各マッサージ部品３１の相同位置には、伝動ブロック３２、及び伝動ブロック３２に対応してマッサージセット３０を連動する伝動部品４０を設置する。
【００１３】
本実施例において、マッサージ部品３１は、特定の間隔を開けて排列する複数のマッサージヘッド３１１をそれぞれ設置する。
各マッサージヘッド３１１は、マッサージ部品３１外側の四周において、大きさが同じで、しかも平行に排列する外凸ブロック３１２をそれぞれ設置する。
隣接する２個のマッサージヘッド３１１は、相互に垂直に排列するが、これは説明の便のために例をあげるに過ぎず、これにより本考案を制限するものではない。
隣接する２個のマッサージヘッド３１１は、必要に応じて設計することができ、マッサージヘッド３１１は、他の特定の偏向角度排列状態とすることができる。
【００１４】
図３、４に示すように、マッサージセット３０は、各マッサージ部品３１の中央に近い位置に、伝動ブロック３２をそれぞれ設置する。
図に示す本実施例では、伝動ブロック３２は、マッサージ部品３１表面に接続する伝動ギア３３で、伝動ギア３３は、伝動部品４０に対応して接続される。
伝動部品４０は、伝動チェーン４１で、外ハウジング２０の収容設置空間２２内部より、開口構造２１中へと延伸し、各伝動ブロック３２及び駆動装置５０に連接する。
【００１５】
駆動装置５０は、外ハウジング２０の収容設置空間２２内部に設置する。
駆動装置５０は、伝動部品４０と接続する駆動モーター５１、駆動モーター５１と電気的に連接する給電ユニット(図示なし)を備える。
駆動モーター５１は連接端に、伝動部品４０と対応して接続する対応連接部品５２を設置する。
給電ユニットは、充電式電池、使い捨て電池、或いは電源線構造の内の１種である。
こうして、マッサージ器の応用範囲と利便性を高めることができる。
【００１６】
図５に示すように、本考案の第二実施例は同様に、構成部材全体を覆って包む外ハウジング２０、使用者にマッサージ機能を提供するマッサージセット３０、動力を伝送する伝動部品４０、動力を提供する駆動装置５０を備える。
【００１７】
伝動ブロック３２と伝動部品４０は、相互に対応する摩擦ホイール３４と伝動ベルト４２であるが、その構造は非常に近似しているため、２つの実施例の相同構造に対しては詳述しない。
しかも、対応連接部品５２は、伝動ベルト４２に対応する摩擦ホイール３４、或いは伝動チェーン４１に対応する伝動ギア３３の内の１種である。
【００１８】
本考案はさらに、外ハウジング２０表面に、駆動装置５０に連接する制御ユニット２５を設置することができる。
制御ユニット２５により、使用者は、マッサージセット３０の回転速度を調整することができ、それぞれの使用者が求めるマッサージ強度に合わせることができる。
【００１９】
図６に示すように、本考案はさらに、外ハウジング２０頂点面の開口構造２１中に、クッション６０を設置することができる。
これにより、マッサージセット３０の複数のマッサージ部品３１を覆うことができ、同時にマッサージ部品３１は、クッション６０に覆われた状態で、マッサージを行うことができる。
こうして、マッサージを妨げない状況下で、足裏マッサージ器の全体的な美観を増強することができる。
【００２０】
本考案足裏マッサージ器を使用する時には、足裏をマッサージセット３０上に載せ、制御ユニット２５の起動により、マッサージ部品３１の回転速度を制御し、高さの異なるマッサージヘッド３１１により、足裏上の各ツボにそれぞれ刺激を与え、こうして抹消神経への刺激及びマッサージの効果を達成し、使用者の疲労とストレスを効果的に解消することができる。
【００２１】
上記したように、本考案足裏マッサージ器は、マッサージセット中のマッサージ部品を平行に排列し、伝動部品によりすべてのマッサージ部品を同時に連動することで、マッサージ器の構成部材をシンプルにし、耐用性を高めることができる。
さらに、全体の体積を大幅に縮小できるため、マッサージ器の実用性と携帯性を大幅に向上させられる。
また、構造全体の軽量化により、内部の構成部材が消費する電力を減らし、これによりマッサージ器は、充電式の給電ユニットを応用して使用可能となるためマッサージ器の応用範囲と利便性を高めることができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案の要件である新規性を備え、従来の同類製品に比べ十分な進歩を有し、実用性が高く、社会のニーズに合致しており、産業上の利用価値は非常に大きい。
【符号の説明】
【００２４】
１０  駆動ユニット
１１  マッサージヘッド
１２  メインローラー
１３  補助ローラー
２０  外ハウジング
２１  開口構造
２２  収容設置空間
２３  上ハウジング
２４  下ハウジング
２５  制御ユニット
３０  マッサージセット
３１  マッサージ部品
３１１  マッサージヘッド
３１２  外凸ブロック
３２  伝動ブロック
３３  伝動ギア
３４  摩擦ホイール
４０  伝動部品
４１  伝動チェーン
４２  伝動ベルト
５０  駆動装置
５２  対応連接部品
６０  クッション
【図１】
0003162836.tif 000003
【図２】
0003162836.tif 000004
【図３】
0003162836.tif 000005
【図４】
0003162836.tif 000006
【図５】
0003162836.tif 000007
【図６】
0003162836.tif 000008